(57)【要約】      （修正有）【課題】  部品点数が少なくコストを安くすることが出来るようなスタンド型表示体を提供する。【解決手段】  表示部とこの表示部の取付板２と、この取付板を周囲から覆うための折り返し片２１，２３を備えており、この折り返し片を逆方向へ折り返した時に一片が底板２０と成りこの両側の二片が底板の上に載る側板３と成るように両者を組み付け得るように構成した、収納ケース付きのスタンド型表示体である。取付板の周辺部には折り返し片が設けられているため、この折り返し片を内側へ折ることによって、取付板及び表示部を覆って梱包することが出来る。【選択図】  図１
2005055847.tif 000002
【特許請求の範囲】
【請求項１】
表示部とこの表示部の取付板と、この取付板を周囲から覆うための折り返し片を備えており、この折り返し片を逆方向へ折り返した時に一片が底板と成りこの両側の二片が底板の上に載る側板と成るように両者を組み付けられるようにしたことを特徴とする、収納ケース付きのスタンド型表示体。
【請求項２】
前記底板と側板との組み付け構成が、一方に設けた切り込み線に他方を差し込むものである、請求項１に記載の収納ケース付きのスタンド型表示体。
【請求項３】
天板である折り返し片を備えており、この天板と前記側板とを組み付けられるようにした、請求項１に記載の収納ケース付きのスタンド型表示体。
【請求項４】
前記天板と側板との組み付け構成が、一方に設けた切り込み線に他方を差し込むものである、請求項３に記載の収納ケース付きのスタンド型表示体。
【請求項５】
前記表示部が取付板に対し着脱自在に設けられている、請求項１に記載の収納ケース付きのスタンド型表示体。
【請求項６】
このスタンド型表示体に別体の表示体を重ねて成る、請求項１に記載の収納ケース付きのスタンド型表示体。
【請求項７】
前記折り返し片を正方向へ折り返し、前記表示部を周囲から覆って収納し、この折り返し片にテーピングを施して梱包して成る、請求項１に記載の収納ケース付きのスタンド型表示体。
【発明の詳細な説明】
【発明の詳細な説明】
【技術分野】
【０００１】  この発明は、収納ケースが安定したスタンドの役目を担うことが出来る、収納ケース付きのスタンド型表示体に関するものである。
【背景技術】
【０００２】  この発明で言うタンド型表示体とは、紙板や合成樹脂板やこれ等のダンボール加工板などを折り曲げて自立出来るようにすると共に、主として前面部に印刷などによるディスプレイを施して成るものである。【０００３】  このような従来型のスタンド型表示体は使用の現場で組み立てるものであり、運搬時や収納時にはこれを折り畳んで梱包用のケースの中に収納するようにしている。
【発明が解決しようとする課題】
【０００４】  しかしながらこのような構成のスタンド型表示体では運搬のために収納ケースを必要とし、この分だけ部品点数が多くなり、コストアップにも繋がっている。従ってこの発明は、部品点数が少なくコストを安くすることが出来るようなスタンド型表示体の提供を課題とする。
【課題を解決するための手段及び作用】
【０００５】  上記課題は、表示部とこの表示部の取付板と、この取付板を周囲から覆うための折り返し片を備えており、この折り返し片を逆方向へ折り返した時に一片が底板と成りこの両側の二片が底板の上に載る側板と成るように両者を組み付ける、収納ケース付きのスタンド型表示体とすることにより達成される。
【０００６】  前記取付板の周辺部には折り返し片が設けられているため、この折り返し片を内側へ折ることによって取付板を覆うことが出来るが、この取付板には表示部が設けられているため、表示部が取付板及び折り返し片で覆われて梱包されることに成る。この状態で運搬や収納が可能である。
【０００７】  次に、前記折り返し片を逆方向へ折り返すと取付板が露出して表示部が顕わになる。後ろへ折り返した折り返し片に付いて、底板と成る片の上に両側の二片を組み付けて側板と為す。このような場合に、後ろへ折り返した両側の二片だけで前記取付板を支えようとすると不安定に成るが、底板を設けることによって底板が床に面で広く接触するために、姿勢が極めて安定するのである。なお取付板と底板との折り返しの角度に付いては任意であり、主として９０度前後であるが、好ましくは９０度或いは９０度よりも幾分小さい角度とする。
【０００８】  この発明のスタンド型表示体は上述したような構成であるから、折り返し片である底板と側板とにより安定的に表示部を立てることが出来るが、運搬時や収納時には折り返し片で表示部を周囲から覆って梱包することが出来る。即ち梱包時に梱包用のケースが不要と成るのである。従って梱包用のケースが不要な分だけ省資源であると言うことが出来る。なお表示部は取付板と一体であるから、スタンド型表示体を梱包用のケース内に納めた従来型のものと異なり、内部で表示部がガタ付いたりすることがない。なお表示部は折り返し片で覆われるが、表示部を更に保護すべく折り返し片の表示部対応箇所にクッションを取り付けるなどしても良い。
【０００９】  さて、前記底板と側板との組み付け構成が、一方に設けた切り込み線に他方を差し込むものとすることが出来る。
【００１０】  前記底板と側板との組み付けには、接着剤や粘着テープを用いることが出来るが、切り込み線を設ける場合には接着剤や粘着テープは不要と成り、組み立てや分解がより容易でスピーディーに行ない得る。なお他方の側にも前記切り込み線を設けて、両者の切り込み線同士を差し込むような構成とすることが出来る。
【００１１】  また、天板である折り返し片を備えており、この天板と前記側板とを組み付けられるようにしても良い。なおこのような天板と側板の組み付け構成に付いて、一方に設けた切り込み線に他方を差し込むものとしても良い。
【００１２】  上述したように底板と側板とによって表示部を安定的に立てることが出来るのであるが、この構成に加えて天板を側板に組み付けるようにすることによって、側板を更にしっかりと固定し、この発明のスタンド型表示体の全体をより強固なものとすることが出来る。天板はその上に、後述するような他の表示体を載置したり他のディスプレイを設置する際にも有効である。
【００１３】  なお前記天板と側板との組み付けには接着剤や粘着テープを用いることが出来るが、切り込み線を設ける場合には接着剤や粘着テープは不要と成り、組み立てや分解がより容易でスピーディーに行ない得る。なお他方の側にも切り込み線を設けて、両者の切り込み線同士を差し込み得るような構成とすることもまた可能である。
【００１４】  さて、前記表示部が取付板に対し着脱自在に設けられているものとすることが出来る。
【００１５】  この発明では「表示部とこの表示部の取付板」と言う表現を取っているが、これは例えば取付板に別体の表示板などを貼り付けることもあれば、取付板面上に直接表示を印刷したりすることがあるためである。従って、前記表示部を取付板に対して着脱自在に設けることにより表示部の交換などが可能となる。
【００１６】  また、このスタンド型表示体に別体の表示体を重ねて成るものとすることが出来る。複数の表示体を左右に重ねたり上下に重ねるのである。
【００１７】  この構成によって表示部でより豊かな表現を表わすことが出来、迫力や立体感の増大を図ることが可能である。
【００１８】  また、前記折り返し片を正方向へ折り返し、前記表示部を周囲から覆って収納し、この折り返し片にテーピングを施して梱包して成る、ものとすることが出来る。
【００１９】  上述したように、前記取付板の周辺部には折り返し片が設けられているため、この折り返し片を内側へ折ることによって取付板を覆うことが出来る。この取付板には表示部が設けられているため、表示部が取付板及び折り返し片で覆われ、この折り返し片にテーピングが施されて梱包されることに成る。従ってこの状態のスタンド型表示体もこの発明の権利範囲内のものであって、この状態で表示部を保護したままの運搬や収納が可能なのである。
【発明を実施するための最良の形態】
【００２０】  以下ではこの発明の幾つかの実施の形態に付いて図面を参照しながら説明するが、この発明はこれ等の実施の形態にのみ限定されるものではない。【００２１】  第１実施形態
この実施形態で重要なのは符号２０が指し示す底板であり、またこの底板２０は内側へ折られて表示板１を覆う役目を担う点にある。図１及び図２でこの実施形態を表わすように、表示部である表示板１を図示しない面テープによって着脱自在に取り付けるための取付板２にはその一側に、折り返し片である底板２０が他側に折り返し片である天板２２が設けられており、底板２０の端部には折り片２１がまた天板２２の端部には折り片２３が設けられている。底板２０及び天板２２は取付板２に、折り片２１は底板２０に、また折り片２３は天板２２に対し略直角に折れるように成っており、特に底板２０及び天板２２は何れの面側にも折り返せるように成っている。【００２２】  次に折り返し片としての側板３が両側に且つ何れの面側にも折り返せるように設けられている固定板３０は、前記取付板２０の表示板１が取り付けられる面とは逆の面に接着固定されている。また両側の側板３の下縁部には切り込み線３１が、上縁部には切り込み線３２が各々設けられている。このようにして後述する組み立て時には、前記底板２０の折り片２１が切り込み線３１に、また前記天板２２の折り片２３が切り込み線３２に差し込まれて、側板３と組み付けられるように成っているのである。【００２３】  図２はこの実施形態のスタンド型表示体の、折り畳み時の状態から今正に組み立てられようとしている様子を表わしたものである。取付板２に取り付けられた表示板１を覆うようにして両側の側板３，３が内側に折られ、この上に底板２０及び天板２２が折り重ねられている。従ってこの状態は梱包された状態であると言うことが出来る。すなわち表示板１に対して他の部材が収納ケースに成っているのである。【００２４】  次に図２の矢線方向に、すなわち先とは逆方向に底板２０及び天板２２、両側の側板３，３を折り返すと、前記表示板１が露出されるので、この状態は梱包が解かれた状態であると言うことが出来る。而して底板２０の折り片２１を両側の側板３の切り込み線３１に差し込み、更に天板２２の折り片２３を両側の側板３の切り込み線３２に差し込むことによって、図１で表わしたようなスタンド型表示体の組立が完了するのである。両側の側板３，３は底板２０の上に載り、この状態が天板２２で補強されて、強固なスタンド型表示体が組み上げられている。なお取付板２はこのスタンド型表示体の前面と成り、表示板１がその役目を発揮するように成っている。【００２５】  このスタンド型表示体を運搬・収納する際には折り畳むことによりコンパクトに成るが、底板２０及び天板２２、両側の側板３，３を先とは逆の正方向に折り返すことによって、これらで表示板１を保護することが出来るのである。【００２６】  第２実施形態
次にこの実施形態のスタンド型表示体は、折り返し片を折り畳んで梱包状態にしたものである（図３）。この実施形態の構成はその殆どを上述の第１実施形態のものに倣うが、第１実施形態では底板２０よりも天板２２の奥行き寸法が小さいものであったのに対して、この第２実施形態では底板２０と天板２４の奥行き寸法がほぼ同一であり、両者を正方向へ折り返した際には、その縁部が近接して粘着テープ４で止められるように設計されている。【００２７】  従ってこのような粘着テープ４で止めた梱包状態の製品として出荷することが可能と成っており、取り扱いが極めて容易である。組立後に再度梱包し直す場合には、同様に底板２０と天板２４とを粘着テープ４で止め合わせればよい。なお底板２０と天板２４の縁部同士が近接していない状態であっても粘着テープ４で止め合わせることは可能であるし、あるいは隙間に合う形状のスペーサを挿着し粘着テープ４で止め合わせるようにしてもよい。【００２８】  第３実施形態
図３及び図４でこの実施形態を表わすように、この実施形態のスタンド型表示体は、上述した第１実施形態の台形状の側板３，３に対して、方形の側板３３．３３を用いている点に特徴を有する。それ以外の箇所に付いては第１実施形態の構成に倣う。【００２９】  上述した第１及び第２実施形態では、スタンド型表示体を運搬・収納する際の折り畳み方に関して、先ず両側の側板３，３を折り返し、その後に底板２０及び天板２２を折り返すようにしている。第２実施形態では折り返した板２０と天板２２とを粘着テープ４で止め合わせて梱包状態の製品とした。これに対して第３実施形態では、両側の側板３３．３３を方形にして折り返した時にその縁部同士が略直線状に近接するようにし、その上を粘着テープ４で止め合わせて梱包状態の製品としたものである。すなわち先に底板２０及び天板２２を折り返し、その後に両側の側板３３，３３を折り返すようにしている点に特徴を有する。これは底板２０と天板２２の縁部同士が大きく離れている状態等では、縁部同士が近接している側板３３，３３を止め合わせる方がより好ましいと言う考えに基づくものである。【００３０】  第４実施形態
次に図６は第４実施形態のスタンド型表示体を組立後に底面方向から見た状態を表わしたものである。この実施形態の特徴は、表示板５の表面に印刷によって表示面１０を形成している点、及び表示板５に対して側板６が略三角形状を呈するように構成されている点にある。またこのような側板６，６に底板５０の形状を対応させている。【００３１】  前記側板６，６は、上述した他の実施形態の側板３と同じように、固定板６０の両側に延設されており、固定板６０を以て表示板５の表示面１０とは逆の面に接着固定されている。表示板５と表示面１０とは、取付板面上に直接表示を印刷した関係と成っている。両側の側板６，６と表示板５とで略三角形状を呈するように構成されているため、これに合わせるようにして底板５０の両角部が切欠されており、中央部には折り片５１が形成されている。この折り片５１は更に側板６，６の方へ折られて、側板６，６に設けられた切り込み線６１に差し込まれるように成っている。なお天板は図示しないが、底板５０と同様の構成で側板６，６に組み付けられる。【００３２】  第５実施形態
次に図７は第５実施形態のスタンド型表示体を組み立てようとしている状態を表わしたものである。この実施形態の特徴は、底板７０と側板８とを接着剤よって接着固定している点にある。なお天板７２の上に別体の表示板９が載置される点も特徴のひとつである。【００３３】  取付板７にはその一側に、折り返し片である底板７０が、他側に折り返し片である天板７２が設けられており、底板７０の端部には折り片７１がまた天板７２の端部には折り片７３が設けられている。底板７０及び天板７２は取付板７に、折り片７１は底板７０に、また折り片７３は天板７２に対し略直角に折れるように成っており、底板７０及び天板７２は何れの面側にも折り返せるように成っている。次に折り返し片としての側板８の一端部には折り片８０が設けられており且つ他端部には接着片８１が設けられており、この接着片８１によって側板８が取付板７に接着固定されている。次に前記底板７０は折り片７１を側板８の折り片８０に接着することによって側板８と組み付けられている。これに対して天板７２の折り片７３と側板８とは、側板８に設けられた切り込み線８２に差し込まれることによって組み付けられている。この状態は図７に於いて、折り片８０の上側部を切欠して見せることにより了解されるであろう。なおこの実施形態では底板７０よりも天板７２の奥行き寸法が小さいものとして設計されている。【００３４】  次に表示板９であるが、これには底板としての折り返し片を備えておらず天板９０のみを備える。この天板９０には折り片９０が設けられており、この折り片９０の２ヵ所に切欠された切り込み線９２，９２に各々、側板９３，９３を差し込むことによって天板９０と側板９３とを組み付け、一定の強度を出すようにしている。なお図中符号９４が指し示す部品は、側板９３を表示板９に接着固定するための接着片である。なお前記表示板９の下縁部の、前記側板９３のすぐ内側の部位には切り込み線９５が設けられている。【００３５】  上述したように強固に組み立てられる取付板７の天板７２の上には、表示板９が載置される。この際には、前記切り込み線８２に表示板９側の切り込み線９５を差し込むようにして一体化される。切り込み線８２と切り込み線９５とは互いに差し込み合う関係であり、表示板９の下縁部と前記折り片７３とが密着する。そこで両側の側板９３の下縁部と側板８の上縁部とを粘着テープ９６で止め合わせるようにすれば、取付板７と表示板９とを強固に一体化することが出来、上下２段の表示部によって迫力ある表現が可能に成る。表示板９は底板としての折り返し片を備えてはいないが、切り込み線８２と切り込み線９５との差し込み合いと粘着テープ９６による接着固定とにより、表示板９は取付板７側の天板７２を共有することが出来るのである。【００３６】  この実施形態のスタンド型表示体を収納する場合には、先ず粘着テープ９６を剥離して取付板７と表示板９とを分離し、他の実施形態で説明したように取付板７回りの部品を正方向へ折り返すようにして取付板７の表示部を保護するようにするのであるが、この実施形態では更に表示板９を折り畳んで表示板９の表示部を前記取付板７の表示部に重ね合わすようにする。これによって両方の表示部を互���に保護してコンパクトに一体に収納することが出来るという利点を生ずるのである。【００３７】  なおこの発明は上述した実施形態にのみ限定されないから、各部の材料は任意に選択可能であり、組立後の立体形状を具象形状にするなど自由である。各部の組み付けにハトメやクリップなどの止め金具を用いてもよい。
【発明の効果】
【００３８】  以上この発明は、表示部とこの表示部の取付板と、この取付板を周囲から覆うための折り返し片を備えており、この折り返し片を逆方向へ折り返した時に一片が底板と成りこの両側の二片が底板の上に載る側板と成るように両者を組み付け得るように構成した、収納ケース付きのスタンド型表示体である。
【００３９】  取付板の周辺部には折り返し片が設けられているため、この折り返し片を内側へ折ることによって取付板及び表示部を覆って梱包することが出来るようになっている。
【００４０】  この結果、別途収納ケースを用意するといったことが不要となり、部品点数が少なくなり、コストを安くすることが出来るようになった。
【図面の簡単な説明】
【図１】第１実施形態の斜視図である。
【図２】同実施形態の使用状態説明図である。
【図３】第２実施形態の使用状態説明図である。
【図４】第３実施形態の斜視図である。
【図５】同実施形態の使用状態説明図である。
【図６】第４実施形態の底面図である。
【図７】第５実施形態の組立説明図である。
【符号の説明】
１    表示板
１０  表示面
２    取付板
２０  底板
２１  折り片
２２  天板
２３  折り片
２４  天板
３    側板
３０  固定板
３１  切り込み線
３２  切り込み線
３３  側板
４    粘着テープ
５    表示板
５０  底板
５１  折り片
６    側板
６０  固定板
６１  切り込み線
７    取付板
７０  底板
７１  折り片
７２  天板
７３  折り片
８    側板
８０  折り片
８１  接着片
８２  切り込み線
９    表示板
９０  天板
９１  折り片
９２  切り込み線
９３  側板
９４  接着片
９５  切り込み線
９６  粘着テープ
【図１】
2005055847.tif 000003
【図２】
2005055847.tif 000004
【図３】
2005055847.tif 000005
【図４】
2005055847.tif 000006
【図５】
2005055847.tif 000007
【図６】
2005055847.tif 000008
【図７】
2005055847.tif 000009